(57)【要約】【課題】着用者に違和感などを与えないように、着用者の肌を刺激するような母乳パッドの隅部が肌に触れるおそれがなく、また、肌が弾性伸縮部材の弾性収縮力によるギャザーの影響を直接受けることのないようにすること。【解決手段】母乳パッドの両側部には弾性伸縮部材が取り付けられており、パッド本体の両側縁部と端縁部とが交わる隅部が非肌当接側へ折り返され、その折り返された状態において包装袋に収容されている。【選択図】図１
2008121131.tif 000002
【特許請求の範囲】
【請求項１】
縦方向と横方向とを有し、肌当接側に位置する透液性の内面シートと、非肌当接側に位置する不透液性の外面シートと、それらシート間に介在するパネル状の体液吸収性コアとから構成されるパッド本体と、前記パッド本体の両側部に前記縦方向へ伸長下に取り付けられていて、弾性収縮力によって、前記パッド本体を前記肌当接側へ凹むように湾曲させることが可能な弾性伸縮部材とを備え、包装袋に収容されている母乳パッドにおいて、
前記縦方向へ延びる前記パッド本体の両側縁部と前記横方向へ延びる前記パッド本体の端縁部とが交わる前記パッド本体の隅部が前記非肌当接側へ折り返され、その折り返された状態において前記包装袋に収容されている前記パッド。
【請求項２】
前記パッド本体が、前記体液吸収性コアの両側縁の横方向の外側に位置して前記縦方向へ延びるサイドフラップと、前記体液吸収性コアの両端縁の縦方向の外側に位置して前記横方向へ延びるエンドフラップとを有し、前記隅部が前記サイドフラップと前記エンドフラップとが交わる部位に位置し、前記体液吸収性コアの両側縁近傍又は前記サイドフラップに前記弾性伸縮部材が位置している請求項１に記載の母乳パッド。
【請求項３】
前記パッド本体が、前記体液吸収性コアの両側縁の横方向の外側に位置して前記縦方向へ延びるサイドフラップと、前記体液吸収性コアの両端縁の縦方向の外側に位置して前記横方向へ延びるエンドフラップとを有し、
前記サイドフラップが、前記サイドフラップの外側縁部において、前記内面シートから形成され肌当接側に位置する第１部分と、前記外面シートから形成され前記第1部分と対向して非肌当接側に位置する第２部分とに分離され、前記弾性伸縮部材又はこれと別体の第１弾性伸縮部材が前記第２部分の側縁に沿って位置している請求項１に記載の母乳パッド。
【請求項４】
前記第１弾性伸縮部材に並行して延びる第２弾性伸縮部材が、前記第２部分の前記体液吸収性コアの側縁近傍において伸長下に取り付けられ、前記第１及び第２弾性伸縮部材の少なくとも該第２弾性伸縮部材が、前記パッド本体を前記肌当接側へ凹むように湾曲させることが可能な前記弾性収縮力を有している請求項３に記載の母乳パッド。
【請求項５】
前記第１弾性伸縮部材の両端部のうちの少なくともいずれか一方が前記体液吸収性コアの隅部よりも前記縦方向の外側に位置している請求項１〜４のいずれかに記載の母乳パッド。
【請求項６】
前記第１弾性伸縮部材の両端部のうちの少なくともいずれか一方が前記体液吸収性コアの隅部よりも前記縦方向の内側に位置している請求項１〜４のいずれかに記載の母乳パッド。
【請求項７】
前記第２弾性伸縮部材の両端部のうちの少なくともいずれか一方が前記体液吸収性コアの隅部よりも前記縦方向の外側に位置している請求項１〜６のいずれかに記載の母乳パッド。
【発明の詳細な説明】
【技術分野】
【０００１】
この発明は、ブラジャーなどの内側に装着する母乳パッドに関する。
【背景技術】
【０００２】
従来、吸液層と、その外面を被覆する液防漏性シートとから構成される母乳パッドは一般的に知られている。例えば、特許文献１は、表面材と防水材との間に体液吸収体を積層して構成されるパッド本体と、体液吸収体の両側縁部それぞれに配置された一対の伸縮部材とを備えた母乳パッドを開示する。
【特許文献１】特開２００１−１１７０４号公報
【発明の開示】
【発明が解決しようとする課題】
【０００３】
特許文献１に開示された発明においては、吸収体の両側縁部に配置され、吸収体と表面材との間に固着された一対の伸縮部材の収縮力によって、加熱加圧手段を施すことなく、母乳パッドの全体が乳房の形状に適したドーム形状を呈することができる。
【０００４】
しかし、伸縮部材の弾性収縮力によって、パッドの周縁部がその伸縮部材の収縮する方向へ引っ張られるので、比較的に可撓性の高いパッドの四隅部が伸縮部材が配置されているパッドの肌当接面である内側へ折り返る。この種のパッドは、その製造においては、パッドの廉価供給のため、パッドの多数を連続的に配列した連続積層ウエブからパッドの輪郭の少なくとも一部をカットして個々のパッドが形成される。そのため、パッドの輪郭の少なくとも一部にはカットエッジが生じるところ、そのカットエッジ、特に、これがパッドの尖った隅部に位置したり、隅部が肌当接側へ折り返されたりする場合には、着用者の肌を刺激し、肌に不快感を与える。特許文献１には、そのような欠点を解消するために、伸縮部材の両端部をパッドに固定しない態様が開示されているが、この場合には、その固定されていないパッドの部位の長さにもよるが、その部位が肌に密着せず,着用者の動作で妄りに動いて肌を刺激したり、母乳の漏れの原因ともなるおそれがある。
【０００５】
なお、パッドの隅部が尖がったり、肌当接側へ折り返されたりする場合には、例えば、予め、隅部の折り返される部分をカットしたり、隅部が円弧縁を形成するようにカットしたりする処理をすることが考えられる。このような処理は、その処理がない場合に比較して効果があるが、カットエッジが生じることには変わりがなく、かりに、隅部の折り返しがなく、またあってもごくわずかである場合でも、弾性部材の収縮力によってそのカットエッジが肌に接触することがあり、依然として課題が残る。
【０００６】
また、伸縮部材が肌当接側に位置する表面材に固着されているので、その伸縮部材の収縮により発生する多数のギャザーによって肌を直接圧迫し、着用者の肌に違和感を覚えさせたり、圧迫マークを与えたりするおそれがある。
【０００７】
以上のような課題を解決するため、この発明者らは、パッドの着用時において、着用者の肌を刺激するようなパッドの隅部が肌に触れるおそれがなく、また、肌が伸縮部材の弾性収縮力によるギャザーの影響を直接受けることのない母乳パッドを提供することを目的として、鋭意検討の結果、比較的簡単な手段で課題を解決することが可能なことを知見し、この発明に到達した。
【課題を解決するための手段】
【０００８】
前記課題を解決するためのこの発明は、縦方向と横方向とを有し、肌当接側に位置する透液性の内面シートと、非肌当接側に位置する不透液性の外面シートと、それらシート間に介在するパネル状の体液吸収性コアとから構成されるパッド本体と、前記パッド本体の両側部に前記縦方向へ伸長下に取り付けられていて、弾性収縮力によって、前記パッド本体を前記肌当接側へ凹むように湾曲させることが可能な弾性伸縮部材とを備え、包装袋に収容されている母乳パッドの改良に係わる。
【０００９】
この発明の特徴とするところは、前記縦方向へ延びる前記パッド本体の両側縁部と前記横方向へ延びる前記パッド本体の端縁部とが交わる前記パッド本体の隅部が前記非肌当接側へ折り返され、その折り返された状態において前記包装袋に収容されていることにある。
【００１０】
この発明は、下記の好ましい実施の形態を含んでいる。
前記パッド本体が、前記体液吸収性コアの両側縁の横方向の外側に位置して前記縦方向へ延びるサイドフラップと、前記体液吸収性コアの両端縁の縦方向の外側に位置して前記横方向へ延びるエンドフラップとを有し、前記隅部が前記サイドフラップと前記エンドフラップとが交わる部位に位置し、前記体液吸収性コアの両側縁近傍又は前記サイドフラップに前記弾性伸縮部材が位置している形態。
【００１１】
前記パッド本体が、前記体液吸収性コアの両側縁の横方向の外側に位置して前記縦方向へ延びるサイドフラップと、前記体液吸収性コアの両端縁の縦方向の外側に位置して前記横方向へ延びるエンドフラップとを有し、前記サイドフラップが、前記サイドフラップの外側縁部において、前記内面シートから形成され肌当接側に位置する第１部分と、前記外面シートから形成され前記第１部分と対向して非肌当接側に位置する第２部分とに分離され、前記弾性伸縮部材又はこれと別体の第１弾性伸縮部材が前記第２部分の側縁に沿って位置している形態。
【００１２】
前記第１弾性伸縮部材に並行して延びる第２弾性伸縮部材が、前記第２部分の前記体液吸収性コアの側縁近傍において伸長下に取り付けられ、前記第１及び第２弾性伸縮部材の少なくとも該第２弾性伸縮部材が、その収縮力によって、前記パッド本体を前記肌当接面側へ凹むように湾曲させることが可能な前記弾性収縮力を有している形態。
【００１３】
前記第１弾性伸縮部材の両端部のうちの少なくともいずれか一方が前記体液吸収性コアの隅部よりも前記縦方向の外側に位置している形態。
【００１４】
前記第１弾性伸縮部材の両端部のうちの少なくともいずれか一方が前記体液吸収性コアの隅部よりも前記縦方向の内側に位置している形態。
【００１５】
前記第２弾性伸縮部材の両端部のうちの少なくともいずれか一方が前記体液吸収性コアの隅部よりも前記縦方向の外側に位置している形態。
【発明の効果】
【００１６】
この発明に係る母乳パッドによれば、パッド本体の隅部がその非肌当接側へ折り返され、その折り返し目が隅部のエッジを形成して着用者の肌に触れ、たとえ、隅部にカットエッジが位置したり、隅部が尖っていたりしている場合でも、これらが着用者の肌に触れることがない。したがって、隅部のエッジが着用者の肌を刺激し、不快感を与えるなどのおそれはない。
【００１７】
また、パッドは隅部の折り返し状態で収納されているので、その折り返しは、パッドを着用するときまで維持されるとともに、その「折りくせ」により着用するとき折り返された隅部が元の状態に戻ったり、いわんや肌当接側へ折れ曲がったりするようなことを未然に防止することができる。
【００１８】
さらに、この発明の好ましい実施の形態によれば、下記の効果を奏する。
【００１９】
パッド本体の隅部がサイドフラップとエンドフラップとが交わる部位に位置し、吸液性コアの両側縁近傍又はサイドフラップに前記弾性伸縮部材が位置している場合も、前記効果とほぼ同様な効果を奏する。この場合、前記「折りくせ」が弾性伸縮部材の収縮によって消失するおそれはない。
【００２０】
サイドフラップが、サイドフラップの外側縁部において、内面シートから形成され肌当接側に位置する第１部分と、外面シートから形成され第1部分と対向して非肌当接側に位置する第２部分とに分離され、前記弾性伸縮部材又はこれと別体の第１弾性伸縮部材が第２部分の外側縁に沿って位置している場合には、第１弾性伸縮部材が、非肌当接側に位置するサイドフラップの第２部分に位置するので、第１弾性伸縮部材の収縮力によって、パッド本体の隅部の非肌当接側への折り返しが自動的になされるとともに、「折りくせ」の有無に係わりなく、その折り返し状態が維持され、また、第２部分に第１弾性伸縮部材の収縮力によって多数のギャザーが生じるところ、肌当接側に位置するサイドフラップの第１部分には、肌を刺激するようなギャザーが生じないので、そのギャザーによる肌の刺激を未然に防止することができる。
【００２１】
第１弾性伸縮部材に並行して延びる第２弾性伸縮部材が、第２部分の体液吸収性コアの側縁近傍において伸長下に取り付けられ、第１及び第２弾性伸縮部材の少なくとも第２弾性伸縮部材が、パッド本体を肌当接側へ凹むように湾曲させることが可能な前記弾性収縮力を有している第２弾性伸縮部材の単独による又は第１弾性伸縮部材との協働による弾性収縮力によって、パッド本体が肌当接側へ凹むように湾曲する。しかも、第２弾性伸縮部材がサイドフラップの第１部分の少なくとも外縁部から内側へ離間する半剛性の体液吸収性コアの側縁近傍に位置しているので、パッド本体のその湾曲が確実になされるとともに、第２弾性伸縮部材の収縮がサイドフラップの第２部分に肌を刺激するようなギャザーを生じさせることがない。
【００２２】
第１弾性伸縮部材の両端部のうちの少なくともいずれか一方が体液吸収性コアの隅部よりも縦方向の外側に位置している場合には、第１弾性伸縮部材がエンドフラップとともに外側へ折れ曲がるので、外側へ折れ曲がった部分の第１弾性伸縮部材の弾性応力によって折り返された状態が維持され、容易にその折り返し状態でなくなることがない。
【００２３】
第１弾性伸縮部材の両端部のうちの少なくともいずれか一方が体液吸収性コアの隅部よりも縦方向の内側に位置している場合には、第１弾性伸縮部材がエンドフラップに巻き込まれて外側へ折れ曲がることはないので、パッド本体の隅部とその周縁部のみが外側へ折り返され、エンドフラップが大きく折り返されることがない。
【００２４】
第２弾性伸縮部材の両端部のうちの少なくともいずれか一方が体液吸収性コアの隅部よりも縦方向の外側に位置している場合には、第２弾性伸縮部材が第１弾性伸縮部材と協働してその収縮力によりパッド本体の隅部を外側へ折り返らせようとする力を及ぼすことができる。
【発明を実施するための最良の形態】
【００２５】
添付図面を参照して、この発明に係る母乳パッドの実施の形態を説明すると、以下のとおりである。
【００２６】
図１は弾性伸縮部材が収縮した状態の母乳パッド１０の斜視図、図２は図１のＩＩ−ＩＩ線に沿う模式的断面図、図３は、内面シート１４を取り除き、側部の一部を省略した母乳パッド１０の平面図をそれぞれ示す。
【００２７】
図１、２及び３に示すように、母乳パッド１０は、着用時の縦方向と横方向とを有するパッド本体１０ａと、一対の弾性伸縮部材１１とから構成されている。パッド本体１０ａは、縦方向へほぼ並行に延びる一対の側縁１２と、ほぼ横方向へ凸状に延びる端縁１３とからほぼ縦長楕円形に画成されている。ただし、図示のパッド本体１０ａの輪郭形は、一例にすぎず、卵形、ハート形など適宜の形状をとりうる。
【００２８】
パッド本体１０ａは、体液透過性内面シート１４と、体液防漏性外面シート１５と、それらシートの間に介在した体液吸収性コア１６とから構成されている。コア１６はその全面を体液拡散性の保形シート１７で被覆されている。コア１６は保形シート１７に被覆された状態で内面シート１４の内面にホットメルト接着剤１８を介して間欠的に接合されている。
【００２９】
外面シート１５は、コア１６の下面に位置する内層１９と、内層１９及びコア１６の外周域に位置してパッド本体１０ａの外面を画成する外層２０とからなる。内層１９と外層２０とは内層１９の両側縁部においてホットメルト接着剤（図示せず）によって接合されている。外層２０の両側部は、パッド本体１０ａの内側へ折り返されてスリーブ２１を形成している。スリーブ２１の延出縁部（以下、外面シート１５の延出縁部１５ａという。）は、コア１６の側縁から外側へ内面シート１４の側縁部１４ａとほぼ同寸法で延出している。ただし、内面シート１４の側縁部１４ａは、外面シート１５の延出縁部１５ａよりも外側へ適宜延出してもよい。
【００３０】
パッド本体１０ａは、コア１６の両側縁から横方向外側へ延出して縦方向へ延び側縁１２を形成するするサイドフラップ２２と、コア１６の両端縁から縦方向外側へ延出して横方向へ延び端縁１３を形成するエンドフラップ２３とを有する。サイドフラップ２２は、それぞれ内面シート１４の延出縁部１４ａと外面シート１５の延出縁部１５ａとから形成されており、これら延出縁部１４ａ，１５ａはそれらの外縁からパッド本体１０ａの内側へ離間する部位に位置するホットメルト接着剤２４を介して互いに接合されている。したがって、延出縁部１４ａ，１５ａは、それらの外側縁部において互いに分離している。
【００３１】
弾性伸縮部材１１は、サイドフラップ２２に配置され、それぞれ一対の第１弾性伸縮部材１１ａと第２弾性伸縮部材１１ｂとから構成されている。具体的には、第１弾性伸縮部材１１ａは外面シート１５の延出縁部１５ａに沿って縦方向へ延び、第２弾性伸縮部材１１ｂは第１弾性伸縮部材１１ａと並行して離間しコア１６の両側縁に沿って縦方向へ延びており、それぞれ縦方向へ伸長下に取り付けられている。
【００３２】
第２弾性伸縮部材１１ｂは、コア１６の側縁に沿って取り付けられているので、その収縮力によって、パッド１０は、パッド本体１０ａにおいて最も剛性の高いコア１６の介在する領域がサイドフラップ２２とともに湾曲し、パッド本体１０ａの全体を着用者の乳房の形状に適した、すなわち、肌当接側である内面シート１４側が凹面となるようなカップ状に変形する。サイドフラップ２２のスリーブ２１に取り付けられた第１弾性伸縮部材１１ａもまた、パッド本体１０ａのその変形に与るように収縮力を発揮するようにすることができる。
【００３３】
内面シート１４の側縁部１４ａは、直接的に弾性伸縮部材１１の収縮力の影響を受けないので、妄りにギャザーを生じさせたり、装着者の肌に圧迫マークを付けたり、肌に違和感を与えるおそれはない。
【００３４】
外面シート１５の外面における幅方向中央部には、母乳パッド１０をブラジャーや被服に貼りつけるためのズレ止め用の感圧性接着剤２５とそれを被覆するためのセパレータ２６とが縦方向に延びている。
【００３５】
図４は、図１のＩＶ−ＩＶ線に沿う縦断面図である。図５は、第１弾性伸縮部材１１ａの配置状態を示す、内面シート１４及びその側部の一部を省略した母乳パッド１０の部分拡大平面図、図６は、図５の他の実施の態様を示す図５と同様な部分拡大平面図である。
【００３６】
サイドフラップ２２とエンドフラップ２３とが交わる部位、すなわちパッド本体１０ａの隅部２８は、外面シート１５の外面へ向かって折れ曲がっている（図１参照）。これは、第１弾性伸縮部材１１ａ（図３参照）の収縮力によって、パッド本体１０ａの隅部２８に外側へ向かう方向（矢印Ａ）に引っ張られる力が働くからである。具体的には、第１弾性伸縮部材１１ａが収縮することによって、第１弾性伸縮部材１１ａが配置されている外面シート１５の側縁部における縦方向の寸法が短くなるので、その収縮力が内面シート１４と外面シート１５との接合部位２４ａを境としてその内方へ向かって働き、内面シート１４における接合部位２４ａより外方に延びているフラップ部分２８ａは、その収縮力によって内面シート１４の側縁部側に引っ張られてその側縁部に対向する外面シート１５のフラップ部分２８ｂにもたれ掛かり、それとともに外側へ折れ曲がっている（または、折り返り、反り返っている。以下、同じ）。パッド本体１０ａの隅部２８がこのように外側へ折れ曲がる境となる部位は、内面シート１４と外面シート１５との接合部位２４ａであるところ、仮にエンドフラップ２３に接合部位２４ａを越えて外側へ折れ曲がろうとする力が働いたとしても、コア１６の隅部３１を越えて外側へ折れ曲がることはない。コア１６の存在域は比較的に剛性が高く、その剛性によって、第１弾性伸縮部材１１ａの収縮作用がエンドフラップ２３に対して抑制されるからである。
【００３７】
このように、パッド本体１０ａの隅部２８が外側へ折れ曲がり着用者の肌に直接触れることはないので、パッド本体１０ａの隅部２８のカットエッジ３０が肌に触れることにより生じる肌の違和感、痒み、かぶれなどを防止することができる。
【００３８】
図５では、第１弾性伸縮部材１１ａの端部がコア１６の隅部３１よりも縦方向外側へ延びている。この実施の態様において、第１弾性伸縮部材１１ａの収縮力によって母乳パッド本体１０ａの隅部２８が外側へ向かって折れ曲がるためには、コア１６と第１弾性伸縮部材１１ａとの幅方向の離間寸法Ｗ１が、好ましくは、１〜２０ｍｍ、さらに好ましくは２〜１０ｍｍとすることができる。
【００３９】
また、コア１６の隅部３１と第１弾性伸縮部材１１ａの端部との縦方向における離間寸法Ｌ１を好ましくは１〜２０ｍｍ、さらに好ましくは５〜１５ｍｍとすることができる。この場合には、コア１６の側縁よりも第１弾性伸縮部材１１ａが縦方向外方へ延びているので、エンドフラップ２３とともに第１弾性伸縮部材１１ａの端部も自らの収縮作用によって外側へ折れ曲がる。
【００４０】
図６では、第１弾性伸縮部材１１ａの端部がコア１６の隅部３１よりも縦方向内方に位置している。この実施の態様において、第１弾性伸縮部材１１ａの収縮力によって、パッド本体１０ａの隅部２８が外側へ向かって折れ曲がるためには、コア１６と第１弾性伸縮部材１１ａとの幅方向における離間寸法Ｗ２を、好ましくは１〜２０ｍｍ、さらに好ましくは２〜１０ｍｍ、第１弾性伸縮部材１１ａの端部とコア１６の隅部３１との縦方向における離間寸法Ｌ２を好ましくは１〜１０ｍｍ、さらに好ましくは２〜５ｍｍとすることができる。また、コア１６の隅部３１とパッド本体１０ａの隅部２８との縦方向における離間寸法Ｌ３を、好ましくは１〜２０ｍｍ、さらに好ましくは２〜１０ｍｍとすることができる。この場合には、コア１６の隅部３１よりも第１弾性伸縮部材１１ａの端部が縦方向内方にあるので、第１弾性伸縮部材１１ａが自らの収縮力によって、エンドフラップ２３とともに外側へ大きく折り返ることはなく、パッド本体１０ａの隅部２８の先端部とその近傍のみを外側に反り返らせることができる。
【００４１】
なお、前記各数値は、第１弾性伸縮部材１１ａの収縮力、コア１６及び内外面シート１４，１５の剛性によって多少異なるが、それら部材がこの種の母乳パッド、生理用ナプキンや使い捨ておむつなどの吸収性物品に一般的に用いられている公知の材料から製造されている場合を条件とする。
【００４２】
図５及び図６の態様において、第２弾性伸縮部材１１ｂの端部はコア１６の隅部３１よりも内方に位置しているが、第２弾性伸縮部材１１ｂがコア１６の側縁よりも縦方向外方へ、すなわち、エンドフラップ２３にまで延びていてもよい。この場合には、第２弾性伸縮部材１１ｂが第１弾性伸縮部材１１ａと協働して、パッド本体１０ａの隅部２８に外側へ折れ曲がらせようとする力を及ぼすので、パッド本体１０ａの隅部２８をより確実に外側へ折り曲げることができる。
【００４３】
このようにパッド本体１０ａの隅部２８が外側へ折れ曲がった場合には、折り目が形成され、その折り目が肌に接触するので、カットエッジが肌に直接触れることによる痒みやかぶれを生じさせるおそれはない。
【００４４】
なお、以上の実施の形態においては、パッド本体１０ａの隅部２８の折り返りは、第１弾性伸縮部材１１ａの収縮力によりなされる例を挙げたが、その収縮力の如何に係わらず、パッド本体１０ａの隅部２８を外面シート１５の外側へ折り返す加工によりなすこともできる。この場合には、必ずしもパッド本体１０ａのサイドフラップ２２を形成する内面シート１４の延出縁部１４ａと外面シート１５の延出縁部１５ａとが互いに分離するように構成されていなくてもよい。
【００４５】
図７は、母乳パッド１０を個包装袋３２に収容した状態を示す部分破断斜視図である。
【００４６】
前述のように、パッド本体１０ａの隅部２８が外側へ折曲げられた状態の母乳パッド１０を縦に二つ折りにして個包装袋３２に収容した場合には、パッド本体１０ａの隅部２８の折曲ラインに「折りくせ」がつき、使用する際にその折曲状態が容易に折曲前の状態に戻るおそれはない。これにより、母乳パッドの切りっぱなしにされたカットエッジまたは尖ったパッド本体１０ａの隅部２８が着用者の肌に触れることを確実に防止することができる。
【００４７】
コア１６は、フラッフパルプと高吸収性ポリマー粒子との混合物であり、所要の厚みに圧縮され、所要の形状に賦型された半剛性のパネルであって、このパネルは目付１０〜５０ｇ／ｍ２であることが好ましい。ポリマー粒子としては、デンプン系、セルロース系、合成ポリマー系のものを用いることができる。体液拡散性の保形シートはティッシュペーパや親水性繊維不織布などから作られており、ホットメルト接着剤（図示せず）を介してコアに接合され、体液の拡散性を向上させるほか、コアの形状保持及びポリマー粒子の脱落を防止している。
【００４８】
内面シート１４としては、不織布や開孔プラスチックフィルム等の透液性のシート、好ましくは、目付１０〜４０ｇ／ｍ２の熱可塑性繊維不織布が用いられる。  外面シート１５としては、疎水性不織布、不透液性のプラスチックフィルムまたは疎水性不織布とプラスチックフィルムとのラミネートシート、好ましくは、目付１０〜４０ｇ／ｍ２の熱可塑性繊維不織布が用いられる。
【００４９】
内面シート１４及び外面シート１５に使用される不織布としては、スパンレース法、スパンボンド法、サーマルボンド法、メルトブローン法、ニードルパンチ法、エアースルー法等の適宜の加工法によって得られた不織布を用いることができる。不織布を構成する素材繊維としては、ポリエチレンまたはポリプロピレン等のオレフィン系、ポリエステル系、ポリアミド系等の合成繊維を用いることができる。
【００５０】
弾性伸縮部材１１としては、好ましくは伸長倍率が１．５倍以上の合成ゴムや天然ゴム等のエラストマーを使用することができる。
【００５１】
内面シート１４と外面シート１５との接合、これらに対するコア１６の接合、第１及び第２弾性伸縮部材１１ａ，１１ｂの取り付けには、ホットメルト型接着剤以外に、ソニックシールやヒートシール等の熱溶着の公知技術を利用することができる。
【産業上の利用可能性】
【００５２】
この発明によれば、乳房の形状に適合した湾曲状態を維持しつつ、装着時にパッドの隅部又はエンドフラップの他の部位に形成されたカットエッジが肌に触れることにより生じる違和感、痒み、かぶれを防止することのできる母乳パッドを提供することができる。
【００５３】
なお、図示されていないが、パッド本体の既述の折り返しのための手段は、たとえば、生理用ナプキンや使い捨ておむつにも利用可能である。
【図面の簡単な説明】
【００５４】
【図１】母乳パッドを非肌当接側から見た斜視図。
【図２】図１のＩＩ−ＩＩ線に沿う模式的横断面図。
【図３】内面シートと側部の一部とを省略した母乳パッドの平面図。
【図４】図１のＩＶ−ＩＶ線に沿う縦断面図。
【図５】第１弾性伸縮部材の配置態様を示す部分拡大平面図。
【図６】第１弾性伸縮部材の他の配置態様を示す部分拡大平面図。
【図７】母乳パッドが個包装袋に収容された状態を示す部分破断斜視図。
【符号の説明】
【００５５】
１０    母乳パッド
１０ａ  パッド本体
１１    弾性伸縮部材
１１ａ  第１弾性伸縮部材
１１ｂ  第２弾性伸縮部材
１４    内面シート
１５    外面シート
１６    体液吸収性コア
２２    サイドフラップ
２３    エンドフラップ
２８    パッド本体の隅部
３１    コアの隅部
【図１】
2008121131.tif 000003
【図２】
2008121131.tif 000004
【図３】
2008121131.tif 000005
【図４】
2008121131.tif 000006
【図５】
2008121131.tif 000007
【図６】
2008121131.tif 000008
【図７】
2008121131.tif 000009